(57)【要約】【課題】  パネルの取り付けが容易かつ安全であり、パネルの支持強度も高い手摺柵を提案する。【解決手段】  支柱１に対しては両側にパネル側縁を支持する支持溝４ａ、４ｂがあるパネル支持枠４を取り付け、かつ支柱１及びパネル支持枠４の頂部には手摺部５の一部を成す手摺部本体５Ａを取り付ける。この状態でパネル支持枠４の上端は開放されているので、この開放端からパネル６をその側縁が各パネル支持枠４の支持溝４ａ、４ｂに位置するようにして下降配置され、パネル６の下端が下枠２に当接したならば手摺部本体５Ａの嵌合部５Ａｂに対してカバー部を嵌挿して手摺を一体化すると共に、各パネル６の上下左右の各側縁を全て上記各部材でそれぞれ支持して手摺柵を完成する。【選択図】        図４
2009228320.tif 000002
【特許請求の範囲】
【請求項１】
コンクリート構造物のベランダやバルコニー等に形成される手摺柵の構造において、コンクリート構造物に立設された支柱と、支柱に取り付けた下枠と、支柱上端に取り付けた手摺部とを有し、支柱はパネルの側縁を直接に又は他の部材を介して間接に支持する手段を有し、支柱上端には手摺部が取り付けられ、手摺部は支柱に直接固定される手摺部本体と、この手摺部本体に対して着脱可能に取り付けられるカバー部とからなり、カバー部が未装着な状態でパネル側縁を支持する手段の上端が開放されるよう構成され、各パネルは当該開放部からパネル側縁を支持する手段に沿って下降配置され、パネル配置後に手摺部本体に対してカバー部を取り付けるよう構成したことを特徴とする手摺柵。
【請求項２】
前記パネル側縁を支持する手段は、支柱とは別個に構成されたパネル支持枠であることを特徴とする請求項１記載の手摺柵。
【請求項３】
パネル支持枠には取り付けレールが設けられ、支柱にはこの取り付けレールと嵌合する摺動溝と、取り付けレールが摺動可能な切れ込みが形成され、パネル支持枠はこの摺動溝と切れ込みに沿って所定位置まで下降することにより支柱に取り付けられよ構成したことを特徴とする請求項２記載の手摺柵。
【請求項４】
パネルは透明ガラス板であることを特徴とする請求項１乃至３の何れかに記載の手摺柵。
【発明の詳細な説明】
【技術分野】
【０００１】
本発明は建築構造物のベランダやバルコニー部分或いは屋上等に設置される手摺部を有する柵に係り、特にガラス等のパネルを嵌め込んだ構造の柵に関する。
【背景技術】
【０００２】
アパート、マンション等の集合住宅のベランダ部分には人や物の落下を防止するための柵或いは壁状の囲い（以下この囲いを「手摺柵」と称する）が構成されている。この種の手摺柵は鉄やアルミニウム等により格子状に構成されたものの他、昨今ではガラス板等の透明板やこれに類するパネルを嵌め込んだ構成のものが多く採用されている。
【０００３】
このようなパネルを嵌め込んだ手摺柵とするとパネルが透明であれば室内からの眺望も良好であり、かつ高層階等ではベランダ部分の風除けとしても効果的である。
手摺柵に対するパネルの取り付けは、例えば窓枠に対して窓ガラスを取り付ける場合のようにパネルを斜めにしてパネル上端縁が上部枠体の凹所に当接するようにし、この状態を維持してパネルを垂直にしてパネルの下端縁が下部枠体と対向するように位置させ、更にパネルの自重によりパネルの下端縁が下部枠体に当接した状態でビス等によりパネルを上下の枠体に固定する方法が採用されていた。
【０００４】
しかし、この方法は作業者がかなりの重量物であるパネルを両手で持って作業する必要があってかなりの重労働であると同時に、取り付け作業中に誤ってパネルを落下させてしまう可能性もあって、施工時の作業性、安全性に問題があった。このことは建築構造物の建築時だけでなく、一部のパネルが損傷した場合の交換作業でも同様に問題がある。
【０００５】
以上の観点から以下の特許文献に示されるように、手摺柵に対するパネルの取り付け構造に改良を施した提案がなされている。
【特許文献１】特開平０６−３０７０４９
【特許文献２】特開平１０−１０２７１６
【特許文献３】特開２００６−０３７５８９
【発明の開示】
【発明が解決しようとする課題】
【０００６】
上記特許文献１乃至３に示される構成では何れも、上述のようなパネルの取り付け作業が不要となり、この点からは作業性、安全性を向上させることができる。しかし、特許文献１の発明では現場での溶接作業が必要となる。また、特許文献２の構成は発明の主たる目的が建物の建設後における手摺柵のパネルの清掃の容易性、安全性を確保する点にあってパネル部分を可動構造とすることにより手摺柵の構造が複雑になっている。
【０００７】
また特許文献３の発明は上記特許文献の中では本願発明の技術的解決手段と一見近似するような構成を有しているが、構成の相違、及びその構成の相違から導かれる効果の相違がある。例えば後述するように本願発明の構成ではガラス等のパネルの四辺を固定する構造であるのに対して特許文献３の発明では上下２辺及び左右両側部の一方の３辺の支持であって、パネル支持強度に不安があると共に、建築物施工後にパネルの損傷等により特定のパネルを交換する必要が生じた場合にその交換が容易ではなく、支持部が３辺であるため隣接するパネルの脱落防止に配慮する必要が生じる。
【課題を解決するための手段】
【０００８】
本発明は上記の問題点に鑑み構成されたものであって、ベランダ等の設置対象面に対して所定の間隔で立設された支柱と、これら支柱に対して直交するよう配置された下枠と、この支柱と平行するよう支柱に対して取り付けられかつパネルの側縁を直接支持するパネル支持枠と、支柱とパネル支持枠の頂部においてこれら支柱とパネル支持枠と直交するよう配置された手摺部とを有し、手摺部は支柱に対して固設される手摺部本体と、この手摺部本体に対して着脱可能に取り付けられるカバー部とを有し、ガラス板等のパネルはパネル両側のパネル支持枠と下枠と上部のカパー部とにより支持されるよう構成した手摺柵である。
【発明の効果】
【０００９】
カバー部が取り外されている状態で、隣接するパネル支持枠の上端が開放されるので、パネルはこの開放端から挿入され、かつ両側部が隣接するパネル支持枠に支持されながら下降させるだけでパネルを所定位置に配置できる。このため手摺柵に対するバネルの取り付けが非常に楽になり、かつパネル取り付け時にパネルが落下する等の危険もない。
【００１０】
パネル取り付け後はパネル支持枠の開放端及びパネルの上端縁を覆うようにカバー部を手摺本体に取り付けることより、カバー部と手摺本体部は一体化された手摺りとりなり、かつパネルは上下左右の全ての側部がそれぞれの部材により支持固定されるためパネルの支持強度を高くすることができる。
【００１１】
またカバー部は手摺本体に対して着脱可能に構成されているため、建築構造物の完工後であっても、カバー部を取り外すことより、例えば損傷したパネル等、所定のパネルを随時にかつ容易に交換することができる。
【発明を実施するための最良の形態】
【００１２】
支柱、パネル支持枠、下枠、手摺部材は何れもアルミニウム系金属で構成され、かつパネルはガラス板とすることにより、パネルの支持強度を高く保持しながら、視界の確保および手摺柵自体のデザイン性も高く保持する。
【実施例１】
【００１３】
以下本発明の実施例を図面を参考に具体的に説明する。
図１において、符号１は支柱であって、ベランダ等の取り付け面に対して例えば等間隔に複数本設置される。符号２は下枠であり、前記支柱取り付け面に対して平行するように、即ち各支柱１に対しては直交するよう当該支柱１に対して固定される。固定方法は特に限定はなく、下枠２を支柱に対して直接ビス止めしたり、図３に示す取り付けバンド３を介して取り付ける等各種の方法が実施可能である。
【００１４】
４はパネル支持枠であり、このパネル支持枠４の両側にはパネルの側縁を支持する支持溝４ａ、４ｂが形成されている。４ｃはパネル支持枠４の背面に対して形成されたパネル支持枠取り付け手段（以下「取り付けレール」とする）である。一方支柱１に対してはこの取り付けレール４ｃが嵌合摺動する摺動溝１ａが形成され、かつこの摺動溝１ａに沿って切り込み（スリット）１ｂが形成されている。
【００１５】
上記の構成において、パネル支持枠４の下端を支柱１の上端に位置させ、パネル支持枠４の取り付けレール４ｃを支柱１の摺動溝１ａに嵌合させ、この状態でパネル支持枠４を支柱１に沿ってパネル支持枠４の下端が下枠２に当接するまで下降させ、支柱１に対するパネル支持枠４の取り付けを完了する。なお下枠２は上端面が平面の角材状に形成されている他、想像線で示すように溝２ａを形成して後述するパネルの下端縁がこの溝部２ａに位置するよう構成してもよい。
【００１６】
続いて図２、図３において、矢印５は手摺部を示し、この手摺部５のうちの手摺部本体５Ａの取り付け状態を示している。手摺部本体５Ａは、直接手摺面となる手摺面部５Ａａと、この手摺面部５Ａａに連接した嵌合部５Ａｂとからなっている。手摺部本体５Ａは各支柱１に差し渡されるように各支柱１の上端に水平に配置され、ビス止め等の適宜の固定手段で各支柱１に対して固定される。
【００１７】
手摺部本体５Ａが各支柱１に取り付けられた状態で、手摺部本体５Ａの嵌合部５Ａｂはパネル支持枠４の上端から後退した位置にあるため、後述するカバー部を取り付けない状態では各パネル支持枠４の上端は開放されて、パネルの取り付けが可能な状態となっている。
【００１８】
続いて、図４及び図５においてパネルの取り付け状態を説明する。
パネル６は、平行して位置する各パネル支持枠４の支持溝４ａ、４ｂの底部を含めて隣接する各支持枠４（図示せず）の配置された幅にほぼ等しい幅に形成されている。このように形成されたパネル６の取り付けに当たっては、その下端縁を各パネル支持枠４の開放端の上部に位置させ、かつこれら隣接するパネル支持枠４の各支持溝４ａ、４ｂに対してその両側縁部が位置するようにする。この状態で隣接するパネル支持枠４の各支持溝４ａ、４ｂに沿ってパネル６を降下させ、当該パネル６の下端縁が下枠２或いは下枠２の溝２ａ底部に当接した位置でパネル６は両側縁及び下部端縁の三つの側縁が隣接するパネル支持枠４、下枠２により支持された構成となる。
【００１９】
このようにしてそれぞれのパネル６をそれぞれ隣接するパネル支持枠４に沿って所定の位置まで下降位置させる。なお図４においては二つのパネル６の側縁がパネル支持枠４の各支持溝４ａ、４ｂから離間した状態で描かれているが、これはパネル６と、パネル支持枠４、手摺部本体５Ａ、下枠２との関係を明瞭にするためであり、実際の施工に当たってはパネル６の側縁はパネル支持枠４の支持溝４ａ、４ｂ内に位置している。
【００２０】
全てのパネルがそれぞれの位置に配置されたならば、手摺部本体５Ａの嵌合部５Ａｂに対してカバー部５Ｂを嵌挿配置し、手摺部本体５Ａとカバー部５Ｂとを一体化させ、全体を一つの手摺５として構成すると共に、このカバー部５Ｂによりパネル６の上部端縁を支持し、結果的に各パネル６を、その上部端縁はカバー部５Ｂにより、下部端縁は下枠２により、更に両側縁は隣接するパネル支持枠４により支持することによってパネル６の四辺の全てを確実に支持する。
【００２１】
以上の実施例ではパネルとして透明ガラス板を念頭において説明したが、パネル自体の種類を問うものではなく、金属パネル、金属パネルに適宜スリットを形成したパネル、或いはアクリル樹脂等によるパネル等、色々な種類のパネルを幅広く取り付けることが可能である。
【００２２】
また上記実施例では支柱１とパネル支持枠４とは別構成とし、パネル支持枠４を支柱１に取り付ける構成としてあるが、支柱１とパネル支持枠４とを予め一体的に形成することももとより可能である。この場合上記構成をそのまま実施するのであればパネル支持枠４に対応する部分の下端部に当接するようにして下枠２を支柱１に取り付けることになる。
【産業上の利用可能性】
【００２３】
手摺柵を構成する各部材及びパネルを規格化することにより、工場で各部材を大量生産することが可能となり、施工性、安全性、デザイン性の高い手摺柵を安価に供給することが可能となる。
【図面の簡単な説明】
【００２４】
【図１】本発明の実施例を示し、支柱に対する下枠とパネル支持枠の取り付け状態を示す手摺柵の斜視図である。
【図２】支柱に対する手摺部本体の取り付け状態を示す手摺柵の斜視図である。
【図３】図２のＡ−Ａ線による手摺柵の断面図である。
【図４】パネルの取り付け状態を示す手摺柵の斜視図である。
【図５】手摺部本体に対してカバー部を取り付けた状態の手摺柵の斜視図である。
【図６】図５のＢ−Ｂ線による断面図である。
【符号の説明】
【００２５】
１  支柱
１ａ  （支柱１の）摺動溝
１ｂ  （支柱１の）切れ込み
２  下枠
２ａ  （下枠２の）パネル支持用溝
３  取り付けバンド
４  パネル支持枠
４ａ、４ｂ  （パネル支持枠の）支持溝
４ｃ  （パネル支持枠の）取り付けレール
５  手摺部
５Ａ  （手摺部５の）手摺部本体
５Ａａ（手摺部本体５Ａの）手摺面
５Ａｂ（手摺部本体５Ａの）嵌合部
５Ｂ  （手摺部５の）カバー部
６  パネル
【図１】
2009228320.tif 000003
【図２】
2009228320.tif 000004
【図３】
2009228320.tif 000005
【図４】
2009228320.tif 000006
【図５】
2009228320.tif 000007
【図６】
2009228320.tif 000008
【手続補正書】
【提出日】平成21年2月2日(2009.2.2)
【手続補正１】
【補正対象書類名】図面
【補正対象項目名】全図
【補正方法】変更
【補正の内容】
【図１】
2009228320.tif 000009
【図２】
2009228320.tif 000010
【図３】
2009228320.tif 000011
【図４】
2009228320.tif 000012
【図５】
2009228320.tif 000013
【図６】
2009228320.tif 000014